(57)【要約】  本開示は、超音波カテーテルアセンブリに関する。具体的には、カテーテルアセンブリは、カテーテルと、１つ以上の圧電またはエコー源性要素とを含む。カテーテルは、近位端および遠位端を有し、近位端から遠位端まで延びるルーメンを画定する側壁を有する。従って、ルーメンは、近位端から遠位端へ治療用の流体を送達するように構成される。更に、１つ以上の圧電要素は、カテーテルの側壁と共に構成される、および／またはカテーテルの側壁内に少なくとも部分的に埋め込まれる。このように、圧電要素は、例えば刺激装置アセンブリによって活性化されたときに、カテーテルの超音波撮像を向上させるように構成されている。【選択図】図１
2018524117.tif 000002
【特許請求の範囲】
【請求項１】
超音波カテーテルアセンブリであって、
近位端および遠位端を有し、前記近位端から前記遠位端まで延びるルーメンを画定する側壁を有するカテーテルであって、前記ルーメンは、前記近位端から前記遠位端へ治療用の流体を送達するように構成される、カテーテルと、
前記カテーテルの前記ルーメンを画定する前記側壁と共に構成された１つ以上の圧電要素であって、前記１つ以上の圧電要素は、前記カテーテルの超音波撮像を向上させる、該１つ以上の圧電要素とを備えることを特徴とするカテーテルアセンブリ。
【請求項２】
請求項１に記載のカテーテルアセンブリであって、
前記１つ以上の圧電要素は、前記カテーテルの前記側壁内に埋め込まれることを特徴とするカテーテルアセンブリ。
【請求項３】
請求項２に記載のカテーテルアセンブリであって、
前記１つ以上の圧電要素は、前記カテーテルの前記遠位端に埋め込まれることを特徴とするカテーテルアセンブリ。
【請求項４】
請求項２に記載のカテーテルアセンブリであって、
前記１つ以上の圧電要素は、前記１つ以上の圧電部品が患者の体内に挿入されたときに患者から遮蔽されるように、前記カテーテルの前記側壁内に埋め込まれることを特徴とするカテーテルアセンブリ。
【請求項５】
請求項１に記載のカテーテルアセンブリであって、
前記１つ以上の圧電要素は、カテーテル先端部材、カテーテルプラグ、複数の圧電素子、またはカテーテルバンドのうちの少なくとも１つを含むことを特徴とするカテーテルアセンブリ。
【請求項６】
請求項１に記載のカテーテルアセンブリであって、
前記１つ以上の圧電要素は、グラフェンまたは１つ以上のセラミック結晶の少なくとも１つを含むことを特徴とするカテーテルアセンブリ。
【請求項７】
請求項６に記載のカテーテルアセンブリであって、
前記グラフェンは、グラフェンコーティングまたはグラフェンストリップの少なくとも１つを含むことを特徴とするカテーテルアセンブリ。
【請求項８】
請求項６に記載のカテーテルアセンブリであって、
前記セラミック結晶は、球状、円柱、円錐、角錐、角柱、立方体、直方体、または不規則な形状、またはリング形状のいずれか１つまたはそれらの組合せを含むことを特徴とするカテーテルアセンブリ。
【請求項９】
請求項１に記載のカテーテルアセンブリであって、
前記カテーテルが患者に挿入されたときに前記１つ以上の圧電要素を作動させるように構成された刺激器アセンブリを更に備えることを特徴とするカテーテルアセンブリ。
【請求項１０】
超音波カテーテルアセンブリの製造方法であって、
近位端および遠位端を有し、前記近位端から前記遠位端まで延びるルーメンを形成する内側面を画定する側壁を有するカテーテルを提供するステップであって、前記ルーメンは、前記近位端から前記遠位端へ治療用の流体を送達するように構成される、該ステップと、
１つ以上のエコー源性要素を前記カテーテルの前記遠位端上に配置するステップと、
前記遠位端の部分が溶融して前記１つ以上のエコー源性要素の上で硬化するまで前記カテーテルの前記遠位端に加熱処理を行うステップであって、前記１つ以上のエコー源性要素の上で溶融した前記遠位端の部分が、前記１つ以上のエコー源性要素を患者から遮蔽する、該ステップとを有することを特徴とする方法。
【請求項１１】
請求項１０に記載の方法であって、
前記１つ以上のエコー源性要素は、前記カテーテルの超音波撮像を向上させるように構成された複数の不連続部を含むことを特徴とする方法。
【請求項１２】
請求項１１に記載の方法であって、
前記不連続部は、エッチング、くぼみ、溝、ノッチ、凹部、ねじ山、または突起の少なくとも１つ以上を含むことを特徴とする方法。
【請求項１３】
請求項１０に記載の方法であって、
前記１つ以上のエコー源性要素は、カテーテル先端部材またはカテーテルバンドのうちの少なくとも１つを含むことを特徴とする方法。
【請求項１４】
超音波カテーテルアセンブリの製造方法であって、
近位端および遠位端を有し、前記近位端から前記遠位端まで延びるルーメンを形成する内側面を画定する側壁を有するカテーテルを提供するステップであって、前記ルーメンは、前記近位端から前記遠位端へ治療用の流体を送達するように構成される、該ステップと、
１つ以上の圧電要素を前記カテーテルの前記遠位端に固定するステップであって、前記１つ以上の圧電要素が前記カテーテルの超音波撮像を向上させる、該ステップとを含むことを特徴とする方法。
【請求項１５】
請求項１４に記載の方法であって、
前記１つ以上の圧電要素は、前記カテーテルの内側面の少なくとも一部と接触することを特徴とする方法。
【請求項１６】
請求項１５に記載の方法であって、
前記固定するステップは、前記１つ以上の圧電要素が前記カテーテルの前記側壁の前記内側面に接触するように、前記１つ以上の圧電要素を前記カテーテルの前記遠位端内に挿入するステップを更に含むことを特徴とする方法。
【請求項１７】
請求項１４に記載の方法であって、
前記固定するステップは、前記遠位端で前記カテーテルの前記側壁に１つ以上の圧電要素を埋め込むステップを更に含み、
前記１つ以上の圧電要素は、カテーテル先端部材、カテーテルプラグ、複数の圧電素子、またはカテーテルバンドのうちの少なくとも１つを含むことを特徴とする方法。
【請求項１８】
請求項１７に記載の方法であって、
前記埋め込むステップが、
１つ以上のエコー源性要素を前記カテーテルの前記遠位端上に配置するステップと、
前記遠位端の部分が溶融して前記１つ以上のエコー源性要素の上で硬化するまで前記カテーテルの前記遠位端に加熱処理を行うステップであって、前記１つ以上のエコー源性要素の上で溶融した前記遠位端の部分が、前記１つ以上のエコー源性要素を患者から遮蔽する、該ステップとを更に含むことを特徴とする方法。
【請求項１９】
請求項１４に記載の方法であって、
前記固定するステップは、グラフェンコーティングまたは１つ以上のグラフェンストリップの少なくとも１つを前記カテーテルの前記側壁の前記内側面に適用するステップを更に含むことを特徴とする方法。
【請求項２０】
請求項１４に記載の方法であって、
前記カテーテルが患者に挿入されたときに、刺激装置アセンブリを介して前記１つ以上の圧電要素を作動させるステップを更に含むことを特徴とする方法。
【請求項２１】
超音波カテーテルアセンブリの製造方法であって、
近位端および遠位端を有し、前記近位端から前記遠位端まで延びるルーメンを画定する側壁を有するカテーテルを提供するステップであって、前記ルーメンは、前記近位端から前記遠位端へ治療用の流体を送達するように構成され、前記ルーメンは、更に前記カテーテルの外径を画定する、該ステップと、
１つ以上のエコー源性要素を前記カテーテルの外径の周囲に配置するステップであって、前記１つ以上のエコー源性要素は、その外側面上に複数の不連続部を含む、該ステップと、
前記遠位端の部分が溶融して前記１つ以上のエコー源性要素の上で硬化するまで前記カテーテルの前記遠位端に加熱処理を行うステップであって、前記１つ以上のエコー源性要素の上で溶融した前記遠位端の部分が、前記１つ以上のエコー源性要素を患者から遮蔽する、該ステップとを有することを特徴とする方法。
【請求項２２】
請求項２１に記載の方法であって、
前記１つ以上のエコー源性要素の上で溶融する前記遠位端の部分は、前記カテーテルと前記１つ以上のエコー源性要素の前記不連続部との間で空気が排除されるように、前記１つ以上のエコー源性要素とともにシールを形成することを特徴とする方法。
【請求項２３】
請求項２１に記載の方法であって、
前記１つ以上のエコー源性要素を前記カテーテルの前記遠位端上に配置するステップを更に含むことを特徴とする方法。
【請求項２４】
請求項２１に記載の方法であって、
前記カテーテルは、開口した遠位端先端部を有することを特徴とする方法。
【請求項２５】
請求項２１に記載の方法であって、
閉じた遠位端先端部を形成するために前記カテーテルの遠位端をクランプまたは密封するステップを更に含むことを特徴とする方法。
【請求項２６】
請求項２１に記載の方法であって、
前記１つ以上のエコー源性要素の上で溶融する前記遠位端の部分の厚さは、約０．０１ｍｍ〜約０．５ｍｍの範囲であることを特徴とする方法。
【発明の詳細な説明】
【技術分野】
【０００１】
本発明は、一般に医療用カテーテルの分野に関し、特に、向上した超音波撮像を提供するように構成されたカテーテルアセンブリに関する。
【背景技術】
【０００２】
身体の一部に外科手術を行う前に、手術が行われるところの近傍の身体の一部で神経束を麻痺させるための神経ブロックを実行することが望ましい場合がある。手術のために神経束をブロックし、術後痛管理のための期間（例えば、手術後の２〜３日）に麻酔薬の連続的、低流量の投与を行うためにカテーテルをベースにした注入システムが利用されることが多い。
【０００３】
一方法では、硬膜外タイプのニードルまたはニードルおよび皮むきタイプのシースを望ましい神経束の領域に導入する。一旦ニードルが適当な位置に配置されると、試験量の麻酔薬を硬膜外ニードルを通して導入でき、それからカテーテルをニードルを通して導入し、麻酔薬を投与して、神経ブロックを維持することができる。
【０００４】
現在、ニードル位置をターゲッティングするための方法がいくつか存在するが、このような方法では、例えば神経刺激装置（すなわち電流発生器）によってニードルまたはカテーテルを通して少量の電流のパルスをかけることができるように、一体的な導電性ワイヤを有する絶縁性ニードルを用いる。ニードル（「刺激ニードル」と呼ばれることが多い）の先端部が神経の近傍にあるとき、０．１〜約２ｍＡの電流が患者の運動筋肉の動きを誘導する。刺激ニードルが望ましい神経束の領域に入れられているとき、パルス電流が神経を刺激して、運動性反応を起こさせ、これがニードルを適切に位置づける助けとなる。電流を小さくすると運動効果も小さくなるので、弱電流でも運動を引き起こすニードルは、薬物送達のための望ましい領域に非常に近接していると考えられる。
【０００５】
この方法に関する問題の１つは、ニードルを通してカテーテルを挿入すると、ニードルの先端部を目標領域から遠ざけることがあり得ることである。あるいは、および／または更に加えて、カテーテルの先端が、挿入中に目標の領域からそれて曲がることがあり得る。
【０００６】
いくつかのメーカーは、初めにニードルを通して電流を通し、次にそれとは別にカテーテルを通して電流を流すことによって、この問題を修正する刺激用カテーテルを設計している。この場合の問題は、ニードルを通して引き抜くことなく目標領域に向けてカテーテルを操作することができず、カテーテルを損なう可能性があることである。加えて、カテーテルを配置し、操作するために必要な追加の時間が重要であるが、カテーテルが固定された後、患者の動きによって、それが外れてしまい効果がなくなることがある。
【０００７】
上記の問題に対処するために、一般に「オーバー・ザ・ニードル（ｏｖｅｒ−ｔｈｅ−ｎｅｅｄｌｅ）」（ＯＴＮ）カテーテルと呼ばれる更に別のタイプのカテーテルを使用することもできる。より具体的には、ＯＴＮカテーテルは、カテーテルとニードルが患者に一緒に挿入されるように、ニードルと同軸に取り付けられたカテーテルを含む。カテーテルおよびニードルが標的部位に配置されると、ニードルを除去してカテーテルを適所に残すことができる。このため、ＯＴＮカテーテルは、カテーテルを貫通させる必要なく、患者の標的部位に意図的に誘導することができる。従って、ＯＴＮカテーテルは、例えば、神経ブロックの目的での麻酔薬送達に関連して、ますます注目されている。
【０００８】
超音波ガイド下法は、そのような処置に撮像（イメージング）を加えたが、この方法は主として隣接する血管をみるために用いられており、ニードルおよび／またはカテーテルを目で見るには必ずしも向いていなかった。超音波ガイド技術に関する問題は、カテーテルを、組織を通して容易にみることができない点である。つまり、超音波撮像技術でのカテーテルの先端や他の部分を見る能力は限定的である。もう１つの問題は、従来のカテーテルではカテーテルを迅速に配置することができず、薬を標的の領域に送達している最中にカテーテルのわずかな動きが生じ、先端部の位置ずれが生じてしまうことである。
【０００９】
そのため、前述の問題に対処し、患者の治療部位により容易に配置することができる改善されたカテーテルが有効である。従って、本発明は、超音波撮像を用いて容易に見ることができる超音波カテーテルを対象とする。
【先行技術文献】
【特許文献】
【００１０】
【特許文献１】米国特許出願公開第２０１４／０３７８８４１号明細書
【特許文献２】米国特許第７４６５２９１号明細書
【特許文献３】米国特許第７４３８７１１号明細書
【特許文献４】米国特許第７５２７６０９号明細書
【特許文献５】米国特許第７５６９０４５号明細書
【特許文献６】米国特許第８３２８７７１号明細書
【発明の概要】
【発明が解決しようとする課題】
【００１１】
本発明の目的および利点は、以下の説明に部分的に記載されるか、または明細書の記載から明らかになるか、または本発明の実施を通して理解することができる。
【課題を解決するための手段】
【００１２】
一態様では、本発明は、能動超音波カテーテルアセンブリに関する。前記カテーテルアセンブリは、カテーテルと、１つ以上の圧電要素とを含む。前記カテーテルは、近位端および遠位端から延びる側壁を有する。更に、前記側壁は、前記近位端から前記遠位端まで延びるルーメンを画定する。従って、前記ルーメンは、前記近位端から前記遠位端に治療用の流体を送達するように構成される。更に、前記１つ以上の圧電要素は、前記カテーテルの前記ルーメンの前記側壁で構成されている。このように、前記１つ以上の圧電要素は、前記カテーテルの超音波撮像を向上させるように構成される。
【００１３】
一実施形態では、前記１つ以上の圧電要素は、前記カテーテルの前記側壁内に埋め込まれ得る。別の実施形態では、前記１つ以上の圧電要素は、前記カテーテルの前記遠位端に埋め込まれ得る。従って、特定の実施形態では、前記１つ以上の圧電要素は、前記カテーテルの前記側壁内に埋め込まれ、前記１つ以上の圧電要素は、前記１つ以上の圧電部品が患者の体内に挿入されたときに患者から遮蔽され得る。
【００１４】
更に別の実施形態では、前記１つ以上の圧電要素は、カテーテル先端部材、カテーテルプラグ、複数の圧電素子、またはカテーテルバンドのうちの少なくとも１つを含む。
更に別の実施形態では、前記１つ以上の圧電要素は、グラフェン、結晶、セラミック（例えば、セラミック結晶）、または他の適切な圧電材料の少なくとも一部を構成し得る。従って、グラフェンが使用される特定の実施形態では、前記グラフェンは、グラフェンコーティング、グラフェンストリップなどの形態でカテーテルに適用され得る。更に、前記圧電要素は、球状、円柱、円錐、角錐、角柱、立方体、直方体、または不規則な形状、またはリング形状のいずれかまたはそれらの組合せを含むことができる。
【００１５】
更に別の実施形態では、能動超音波カテーテルアセンブリは、前記カテーテルが患者に挿入されたときに前記１つ以上の圧電要素を作動させるように構成された刺激器アセンブリを含むことができる。
【００１６】
別の態様では、本開示は、超音波カテーテルアセンブリの製造方法に関する。前記方法は、近位端から遠位端まで延びるカテーテルを提供するステップを含む。側壁が、前記近位端から前記遠位端まで延びるルーメンを形成する内側面を画定する。前記ルーメンは、前記近位端から前記遠位端へ治療用の流体を送達するように構成される。前記方法はまた、１つ以上のエコー源性要素を前記カテーテルの前記遠位端上に配置するステップを含む。従って、前記方法は、前記遠位端の部分が溶融して前記１つ以上のエコー源性要素の上で硬化するまで前記カテーテルの前記遠位端に加熱処理を行うステップを更に含む。このようにして、前記１つ以上のエコー源性要素の上で溶融した前記遠位端の部分が、前記１つ以上のエコー源性要素を患者から遮蔽する。
【００１７】
一実施形態では、前記１つ以上のエコー源性要素は、前記カテーテルの超音波撮像を向上させるように構成された複数の不連続部を含むことができる。別の実施形態では、前記不連続部は、エッチング、くぼみ、溝、ノッチ、凹部、ねじ山、または突起の少なくとも１つ以上を含むことができる。更に、特定の実施形態では、前記１つ以上のエコー源性要素は、カテーテル先端部材またはカテーテルバンドのうちの少なくとも１つを含むことができる。
【００１８】
更に別の態様では、本開示は能動超音波アセンブリの製造方法に関する。前記方法は、近位端から遠位端まで延びる側壁を有するカテーテルを提供するステップを含む。前記カテーテルの前記側壁は、前記近位端から前記遠位端まで延びるルーメンを形成する内側面を画定する。従って、前記ルーメンは、前記近位端から前記遠位端に治療用の流体を送達するように構成される。前記方法はまた、前記カテーテルの前記遠位端に１つ以上の圧電要素を固定するステップを含む。従って、前記圧電要素は、前記カテーテルの超音波撮像を向上させるように構成される。
【００１９】
一実施形態では、前記圧電要素は、前記カテーテルの前記内側面の少なくとも一部に接触するように構成されてもよい。例えば、特定の実施形態では、前記１つ以上の圧電要素を前記カテーテルの遠位端に固定するステップが、前記圧電要素（例えば、カテーテル先端部材、カテーテルプラグ、カテーテルバンドなど）を、前記圧電要素が前記カテーテルの前記側壁の前記内側面に接触するように、カテーテルの遠位端内に挿入するステップを含み得る。
【００２０】
さらなる実施形態では、前記１つ以上の圧電要素を前記カテーテルの前記遠位端に固定するステップは、前記カテーテルの前記遠位端で前記１つ以上の圧電要素を前記カテーテルの側壁に埋め込むステップを更に含むことができる。より具体的には、このような実施形態では、前記１つ以上の圧電要素は、カテーテル先端部材、カテーテルプラグ、複数の圧電素子、またはカテーテルバンドのうちの少なくとも１つを含み得る。前記遠位端で前記１つ以上の圧電要素を前記カテーテルの側壁に埋め込むステップは、前記カテーテルの前記遠位端上に圧電要素（複数可）を配置し、前記遠位端の一部が溶融して前記圧電要素上で硬化するまで遠位端を加熱処理するステップも含み得る。従って、前記圧電要素の上で溶融する前記遠位端の部分は、前記１つ以上のエコー源性要素を患者から遮蔽するように構成される。
【００２１】
さらなる実施形態では、前記１つ以上の圧電要素を前記カテーテルの前記遠位端に固定するステップは、グラフェンコーティングまたは１つ以上のグラフェンストリップの少なくとも１つを前記カテーテルの前記側壁の前記内側面に適用するステップを更に含み得る。
【００２２】
前記カテーテルが患者に挿入されたときに、刺激装置アセンブリを介して前記１つ以上の圧電要素を作動させるステップを更に含み得る。
【００２３】
更に別の態様では、本開示は、超音波カテーテルアセンブリの製造方法に関する。前記方法は、近位端から遠位端まで延びるルーメンを画定する側壁を有するカテーテルを提供するステップを含む。前記ルーメンは、前記近位端から前記遠位端へ治療用の流体を送達するように構成される。前記ルーメンは、更に前記カテーテルの外径を画定する。更に、前記１つ以上のエコー源性要素は、その外側面上に複数の不連続部を含む。前記方法は更に、前記遠位端の部分が溶融して前記１つ以上のエコー源性要素の上で硬化するまで前記カテーテルの前記遠位端に加熱処理を行うステップを含む。従って、前記１つ以上のエコー源性要素の上で溶融した前記遠位端の部分が、前記１つ以上のエコー源性要素を患者から遮蔽する。
【００２４】
一実施形態では、前記１つ以上のエコー源性要素の上で溶融する前記遠位端の部分は、前記カテーテルと前記１つ以上のエコー源性要素の前記不連続部との間で空気が排除されるように、前記１つ以上のエコー源性要素とともにシールを形成する。別の実施形態では、前記方法は、前記１つ以上のエコー源性要素を前記カテーテルの前記遠位端上に配置するステップを更に含むことができる。
【００２５】
更に別の実施形態では、前記カテーテルは、開口した遠位端先端部を有することができる。代替的に、前記方法は、閉じた遠位端先端部を形成するために前記カテーテルの遠位端をクランプまたは密封する（例えばヒートシールする）ステップを含み得る。
更に別の実施形態では、前記１つ以上のエコー源性要素の上で溶融する前記遠位端の部分の厚さは、約０．０１ｍｍ〜約０．５ｍｍの範囲、より好ましくは約０．０２ｍｍ〜約０．２５ｍｍの範囲であり得る。
【００２６】
本発明のこれらおよび他の特徴、態様および利点は、以下の説明および添付の特許請求の範囲を参照することにより、よりよく理解されるであろう。添付の図面は、本出願の一部を構成し、本発明の実施形態を示し、発明の詳細な説明とともに本発明の原理を説明する役割を果たす。
【００２７】
当業者に対して本発明の最良の実施の形態を含む本発明の完全かつ可能な開示が、本明細書において添付図面を参照して記載されている。
【図面の簡単な説明】
【００２８】
【図１】図１は、本開示による超音波カテーテルアセンブリの一実施形態の斜視図である。
【図２】図１の線２−２に沿ったカテーテルアセンブリの断面図である。
【図３】本開示による超音波カテーテルアセンブリの別の実施形態の斜視図である。
【図４】図３の線４−４に沿ったカテーテルアセンブリの断面図である。
【図５】本開示による超音波カテーテルアセンブリの一実施形態の断面図であり、特に、複数の圧電素子を有するカテーテルアセンブリの閉じた遠位端を示す。
【図６】本開示による超音波カテーテルアセンブリの別の実施形態の断面図であり、特に、複数の圧電素子を有するカテーテルアセンブリの開口した遠位端を示す。
【図７】本開示による超音波カテーテルアセンブリの更に別の実施形態の断面図であり、特に、遠位端と同一平面にある圧電カテーテルプラグを有するカテーテルアセンブリの遠位端を示す。
【図８】本開示による超音波カテーテルアセンブリの更に別の実施形態の断面図であり、特に、遠位端から奥まった位置にある圧電カテーテルプラグを有するカテーテルアセンブリの遠位端を示す。
【図９】本開示による超音波カテーテルアセンブリの別の実施形態の断面図であり、特に、圧電カテーテルプラグを有するカテーテルアセンブリの遠位端を示す。
【図１０】本開示による超音波カテーテルアセンブリの一実施形態の断面図であり、特に、圧電またはエコー源性のカテーテルバンドを有するカテーテルアセンブリの遠位端を示す。
【図１１】本開示による超音波カテーテルアセンブリの別の実施形態の側面図を示し、特に、開口した先端のカテーテルの外径の周りに構成されたエコー源性カテーテルバンドを示す。
【図１２】図１１の線１２−１２に沿ったカテーテルアセンブリの断面図である。
【図１３】本開示による超音波カテーテルアセンブリの別の実施形態の側面図であり、特に、閉じた先端のカテーテルの外径の周りに構成されたエコー源性カテーテルバンドを示し、カテーテルの部分がエコー源性バンド上で溶融しているところを示す。
【図１４】図１３の線１４−１４に沿ったカテーテルアセンブリの断面図である。
【図１５】本開示による超音波カテーテルアセンブリの別の実施形態の断面図であり、特に、その上に構成された圧電またはエコー源性カテーテルバンドを有するカテーテルの開口した遠位端を示す。
【図１６】本開示による超音波カテーテルアセンブリの一実施形態の断面図であり、特に、複数の圧電性グラフェンストリップを有するカテーテルの閉じた遠位端を示す。
【図１７】本開示による超音波カテーテルアセンブリの一実施形態の断面図であり、特に、１つ以上のグラフェンセクションから形成されたカテーテルの部分を有するカテーテルの閉じた遠位端を示す。
【図１８】本開示による超音波カテーテルアセンブリの一実施形態の断面図であり、特に、その中に構成された圧電カテーテル先端部材を有するカテーテルの遠位端を示す。
【図１９】本開示による超音波カテーテルアセンブリの製造方法の一実施形態の流れ図である。
【発明を実施するための形態】
【００２９】
以下、本発明の１つ以上の実施形態、すなわちその例が図面に示されている本発明の実施形態を詳細に参照する。例示された各実施形態は、本発明の説明のために提示されたものであり、本発明を限定するものではない。例えば、ある実施形態の一部として図示または説明される特徴を、他の実施形態とともに使用して更に別の実施形態を生み出すことができる。従って、本発明は、添付の特許請求の範囲およびその均等物の範囲内に入るそのような改変および変形を包含することが意図されている。
【００３０】
本明細書で用いられるとき用語「近位」および「遠位」は、様々な構成要素をお互いに対しておよび患者に対して方向付けるために使用される。「遠位」は、創傷部位に最も近い方向（例えば、コネクタの遠位端はカテーテル挿入部位の側の端部である）を指し、「近位」はその反対方向を指す（例えば、カテーテルの近位端はコネクタの遠位端に挿入される）。
【００３１】
本開示は、一般的に能動的な超音波またはエコー源性のカテーテルアセンブリに関する。より具体的には、カテーテルアセンブリは、カテーテルと、１つ以上の圧電またはエコー源性要素とを含む。カテーテルは、近位端から遠位端を有し、近位端から遠位端まで延びるルーメンを画定する側壁を有する。従って、内腔は、近位端から遠位端に治療用の流体を送達するように構成される。更に、圧電またはエコー源性要素は、カテーテルの側壁の内面で構成される、および／または少なくとも部分的にカテーテルの側壁内に埋め込まれる。このように、圧電またはエコー源性要素は、例えば刺激装置アセンブリによって活性化されたとき、カテーテルの超音波撮像を向上させるように構成されている。
【００３２】
ここで図面を参照すると、図１〜図１８は、本開示による超音波カテーテルアセンブリ１０の様々な実施形態を示す。本開示のカテーテルアセンブリは、当技術分野で公知の任意の適切なカテーテルの構成を有し得ることを理解されたい。例えば、特定の実施形態では、カテーテルアセンブリは、ニードル挿通カテーテルとともに使用され得る。あるいは、カテーテルアセンブリは、オーバー・ザ・ニードルカテーテルとともに使用することができる。例えば、図１に示すように、カテーテルアセンブリ１０は、近位端２２および遠位端２４がニードル１２に同軸に取り付けられたカテーテル１４を有するオーバー・ザ・ニードル（ＯＴＮ）カテーテルアセンブリであってもよい。従って、カテーテルアセンブリ１０は、カテーテル１４とニードル１２とを患者に同時に挿入できるように構成することができる。また、図２および図４に示すように、カテーテル１４は、近位端２２および遠位端２４から延びる側壁１８を画定する。更に、図示のように、側壁１８は、近位端２２から遠位端２４まで延びるルーメン２６を画定する内側面２０を有する。従って、ルーメン２６は、治療用の流体をカテーテル１４の近位端２２から遠位端およびニードル１２に（例えば、神経ブロックの目的で）患者の治療部位に送達するように構成される。
【００３３】
更に図１を参照すると、カテーテルアセンブリ１０はまた、開口した遠位端先端部２８を含むことができ、例えば、治療用の流体を送達するために、および／またはニードル１２が開口した遠位端先端部２８を越えて延びるように構成することができる。更に、カテーテル１４の近位端２２は、治療用の流体がカテーテル１４のルーメン２６および開口した遠位端先端部２８を介して患者の標的部位に送達され得るように流体送達装置（図示せず）と連通可能に結合させるためにその上に構成されたハブ１６を含むことができる。加えて、本明細書に記載のカテーテルアセンブリ１０は、患者に治療用の流体を投与するための１つ以上の注入孔を選択に応じて有し得ることも理解されたい。本明細書に記載の流体送達デバイスは、ポンプ、リザーバ、シリンジなどの、当技術分野で公知の任意の適切なデバイスであり得る。更に、ハブ１６は、ルアーロック・フィッティングのような任意の従来技術の構成を有することができる。
【００３４】
特に図２を参照すると、本開示によるカテーテルアセンブリ１０の別の実施形態の斜視図が示されている。例えば、図示のように、カテーテル１４は（図１に示すように開口した遠位端先端部２８ではなく）閉じた遠位端先端部２９を有していてもよい。このような実施形態では、カテーテル１４は、カテーテル１４のルーメン２６を介して患者内の標的部位に治療用の流体を送達するように構成された１つ以上の注入孔２５を含むことができる。
【００３５】
図５〜図１８に一般的に示すように、超音波カテーテルアセンブリ１０はまた、カテーテルアセンブリ１０の超音波撮像を向上させるように構成された１つ以上の圧電またはエコー源性要素３０を含む。本明細書で使用される場合、「圧電要素」または類似物は、一般的に、加えられた機械的応力に応答して電荷を蓄積する要素を指す。更に、「エコー源性要素」または類似物は、一般に、音波を反射する、すなわち超音波処置の間に信号を返すことができる構成要素を指す。より具体的には、図示のように、圧電またはエコー源性要素３０は、カテーテル１４の遠位端２４に埋め込まれ得る。更に、圧電またはエコー源性要素３０は、カテーテル１４のルーメン２６の内側面２０で構成され得る。より具体的には、図５、図６、図９、および図１０に示すように、圧電またはエコー源性要素３０は、カテーテル１４の側壁１８内に少なくとも部分的に埋め込まれ得る。更に、ある実施形態では、エコー源性要素３０は、例えば図示のように、カテーテル１４の側壁１８内に埋め込まれて、その中に挿入されたときに患者から遮蔽され得る。従って、圧電またはエコー源性要素３０は、カテーテル１４の超音波撮像を向上させるように構成されている。
【００３６】
特定の実施形態では、本明細書に記載の圧電要素３０は、様々な形態および／または形状を有することができ、さまざまな材料から構成することができる。例えば、ある実施形態では、圧電要素３０は、グラフェン、結晶、セラミックス（例えば、セラミック結晶）、または他の適切な圧電材料のうちの少なくとも１つの種類の材料を含むことができる。更に、圧電要素３０は、カテーテル先端部材、カテーテルプラグ、複数の圧電素子３２、カテーテルバンドなどであり得る。
【００３７】
より具体的には、図５〜図６に示すように、圧電要素３０は、カテーテル１４の遠位端２４に配置され、カテーテル１４の側壁１８内に少なくとも部分的に埋め込まれた複数の圧電素子３２を含むことができる。更に、圧電素子３２は、任意の適切な形状を有し得る。例えば、特定の実施形態では、圧電素子３２の形状は、球状、円柱、円錐、角錐、角柱、立方体、直方体、または不規則な形状、またはリング形状のいずれか１つまたはそれらの組合せを含み得る。従って、圧電素子３２の超音波撮像を改善することができる。
【００３８】
別の実施形態では、図７〜図９に示すように、圧電要素３０が、カテーテルプラグ３４を含み得る。より具体的には、図示のように、カテーテルプラグ３４をカテーテル１４の遠位端２４に挿入して、カテーテル１４の超音波撮像を向上させることができる。特定の実施形態では、図７に示すように、カテーテルプラグ３４は、プラグ３４がカテーテル１４の開口した遠位端先端部２８と同一平面になるように、カテーテル１４の遠位端２４に挿入されてもよい。あるいは、図８に示すように、カテーテルプラグ３４をカテーテル１４の遠位端２４に挿入して、プラグ３４をカテーテル１４の開口した遠位端先端部２８から奥まった位置に配置することができる。更に、カテーテルプラグ３４は、摩擦嵌合、接着剤などによってルーメン２６内に固定されてもよい。あるいは、図９に示すように、カテーテルプラグ３４は、カテーテル１４の側壁１８内に部分的に埋め込まれていてもよい。更に、図示されているように、カテーテルプラグ３４は、治療用の流体を通過させない全体的に中実の断面を有する。しかし、代替的な実施形態では、カテーテルプラグ３４は、少なくともいくつかの治療用の流体が通過できるように、中空断面を有し得る。
【００３９】
ここで図１０〜図１５を参照すると、圧電またはエコー源性要素３０は、カテーテル１４の外径２３の周りに同軸に嵌合するように構成されたカテーテルバンド３８を含み得る。より具体的には、図示されているように、カテーテルバンド３８は、カテーテル１４の外径２３上（例えば、カテーテル１３の遠位端２４上）に摺動させて嵌め込むことができる。更に別の実施形態、例えば、図１０に示す実施形態では、カテーテルバンド３８を、選択に応じてその遠位端２４に埋め込むことができる。あるいは、カテーテルバンド３８は、カテーテル１４のルーメン２６内に嵌合するような大きさにすることもできる。別の実施形態では、図１８に示すように、圧電またはエコー源性要素３０は、カテーテル先端部材３６を含み得る。更に、カテーテル先端部材３６は、側壁１８の内側面２０に係合するようにカテーテル先端部材３６の少なくとも一部がカテーテル１４のルーメン２６に挿入されるようなサイズにすることができる。
【００４０】
具体的には、図１１〜図１５に示すように、カテーテルアセンブリ１０は、カテーテル１４の外径２３の周りに構成された１つ以上のエコー源性要素３０を含み得る。更に、エコー源性要素３０は、超音波撮像を向上させるためにその外側面に構成された複数の不連続部４０を含むことができる。より具体的には、特定の実施形態では、不連続部４０は、超音波撮像を向上させるように、任意の適切なパターンで配置された任意の適切なサイズおよび／または形状を有することができる。例えば、不連続部４０は、超音波撮像を向上させるように所定のパターンで配置されてもよい。一実施形態では、パターンは、不連続の編成された行および／または列を含むことができる。代替的に、不連続部４０のパターンはランダムであってもよい。より詳細には、不連続部４０は平坦な底部および平坦な側面を含み得る。さらなる実施形態では、不連続部４０は、超音波撮像を向上させるために、第１のくぼみおよび第１のくぼみ内に含まれる第２のくぼみを含むことができる。例えば、２０１４年６月１８日に出願された「Ｅｃｈｏｇｅｎｉｃ  Ａｒｔｉｃｌｅ  ｗｉｔｈ  Ｃｏｍｐｏｕｎｄ  Ｄｉｓｃｏｎｔｉｎｕｉｔｉｅｓ（化合物不連続性を伴うエコー源性物品）」と題する米国特許出願公開第２０１４／０３７８８４１号（特許文献１）は、本開示のエコー源性要素３０に含まれ得る適切な不連続性を開示しており、当該特許文献の内容全体は参照により本明細書に組み込まれる。更に別の実施形態では、不連続部４０は、縦方向または半径方向のねじ山６２を含むことができる。
【００４１】
さらなる実施形態では、エコー源性要素３０の不連続部４０は、任意の適切な手段を用いて製造することができる。例えば、特定の実施形態では、不連続部４０は、レーザエッチング、スパッタ技術（すなわち、金属の固相置換反応および／または他の現象）、切断、機械加工などを使用して製造することができる。更に別の実施形態では、エコー源性要素３０は、任意の適切なエコー源性材料で構成することができる。例えば、特定の実施形態では、エコー源性要素３０は、金属または金属合金で構成することができる。より具体的には、金属または金属合金は、アルミニウム、チタン、銅、スズ、ニッケル、亜鉛、マグネシウム、ステンレス鋼または類似の材料のうちの少なくとも１つまたはこれらの組み合わせを含むことができる。
【００４２】
更に、エコー源性要素３０がカテーテル１４の外径２３上に摺動して嵌め込まれた後（図１１および図１２）、カテーテル１４の遠位端２４は、遠位端２４の部分４６が（例えば、図１３および図１４に示すように）１つ以上のエコー源性要素３０の上で融解して硬化するまで、加熱処理される。従って、エコー源性要素３０の上で溶解する遠位端２４の部分４６が、要素３０を患者から遮蔽するように構成される。更に、エコー源性要素３０の上で溶解する遠位端２４の部分４６の厚さは、約０．０１ｍｍ〜約０．５ｍｍ、より好ましくは約０．０２ｍｍ〜約０．２５ｍｍの範囲であり得る。より具体的には、特定の実施形態では、遠位端２４の部分４６は、１つ以上のエコー源性要素３０の上で溶解し、エコー源性要素３０と共にシールを形成し、空気（例えば、空気バブル）が、カテーテル１４とエコー源性要素３０の不連続部４０との間から排除される。従って、特定の実施形態では、フィルム状部分４６とエコー源性要素３０との間に隙間または空気ポケットは存在しない。隙間および／または空気ポケットが存在しないことにより、カテーテルアセンブリ１０の超音波撮像が更に向上させられる。加えて、図１１に示すように、カテーテルアセンブリ１０は、開口した遠位端先端部２８を含み得る。代替的に、カテーテル遠位端２４の先端部は、例えば図１２に示すように、クランプされるか、または密封され（例えば、ヒートシールされるかまたは融合され）て、閉じた遠位端先端部２９を形成する。
【００４３】
ここで図１７および図１８を参照すると、圧電またはエコー源性要素３０は、グラフェンコーティング、グラフェンストリップなどを含み得る。例えば、図１７に示すように、カテーテル１４の遠位端２４は、側壁１８の内側面２０に適用された複数のグラフェンストリップ４２またはコーティングを含む。更に、グラフェンストリップ４２またはコーティングは、カテーテル１４の遠位端２４の超音波撮像を向上させるために、任意の適切な厚さを有し得ることを理解されたい。あるいは、図１８に示すように、カテーテル１４の側壁１８の少なくとも一部分４４が、グラフェンから形成されてもよい。このように、カテーテル１４にグラフェンを設けることにより、カテーテル１４の強度および導電率が向上する。
【００４４】
ここで図１８を参照すると、超音波カテーテルアセンブリの製造方法１００の一実施形態の流れ図が示されている。前記方法１００では、まず１０２に記載のように、近位端２２から遠位端２４まで延びる側壁１８を有するカテーテル１４を形成する。上述のように、側壁１８は、近位端２２から遠位端２４まで延びるルーメン２６を形成する内側面２０を画定し、ルーメン２６は、治療用の液体を送達するように構成される。前記方法１００では、１０４において、１つ以上の圧電要素３０をカテーテル１４の遠位端２４に固定し、この１つ以上の圧電要素３０がカテーテル１４の超音波撮像を向上させる。従って、ある実施形態では、圧電要素３０は、カテーテル１４の内側面２０の少なくとも一部に接触するように構成される。
【００４５】
一実施形態では、前記方法１００は、その遠位端２４において、１つ以上の圧電要素３０をカテーテル１４の側壁１８に埋め込むステップを更に含み得る。より具体的には、前述のように、圧電要素３０は、カテーテル先端部材３６、カテーテルプラグ３４、複数の圧電素子３２、カテーテルバンド３８などのなかの少なくとも１つを含むことができる。さらなる実施形態では、圧電要素３０をカテーテル１４の側壁１８に埋め込むステップは、圧電要素３０をカテーテル１４の遠位端２４上に配置するステップと、例えば図１０に示すように、遠位端２４の部分が溶融して圧電要素３０の上で硬化するまで遠位端２４を加熱処理するステップを含むことができる。このように、圧電要素３０（例えば、カテーテルバンド３８）上で溶融するカテーテル１４の遠位端２４の部分は、圧電要素３０を患者から遮蔽するように構成される。
【００４６】
更に別の実施形態では、カテーテル１４のルーメン２６内に圧電要素３０を配置するステップは、例えば、図１７および図１８に示すように、カテーテルの側壁の内側面にグラフェンコーティング、または１つ以上のグラフェンストリップなどを適用することを更に含み得る。代替の実施形態では、圧電要素３０をカテーテル１４のルーメン２６内に配置するステップは、圧電要素３０（例えば、カテーテル先端部材３６、カテーテルプラグ３４、カテーテルバンド３８など）を、圧電要素３０がカテーテル１４の側壁１８の内側面２０に接触するように、カテーテル１４の遠位端２４内に配置される。
【００４７】
更に別の実施形態では、前記方法１００は、カテーテル１４が患者に挿入されたときに、刺激装置アセンブリ５０を介して圧電要素３０を作動させることを含み得る。例えば、図１および図４に示すように、刺激装置アセンブリ５０は、カテーテル１４に熱を加えるように構成され得る。例えば、図示のように、刺激装置アセンブリ５０は、カテーテル１４のハブ１６に結合され、カテーテル１４に熱または電流を加えて、本明細書に記載されたような圧電要素を作動させる。更に別の実施形態では、刺激装置アセンブリ５０は、カテーテル１４（または適用可能な場合にはニードル１２）またはカテーテルアセンブリ１０の任意の他の適切な構成要素に直接結合され得る。更に、刺激装置アセンブリ５０は、１つ以上の刺激装置ワイヤ５４を介して熱または電流を供給する神経刺激器５２を有する神経刺激装置に対応することができる。しかし、刺激装置アセンブリ５０は、当技術分野で公知の任意の他の適切な加熱アセンブリを更に含むことができ、例示された実施形態は、例示目的のみのために提供されていることを理解されたい。例えば、更に別の実施形態では、刺激装置アセンブリ５０が、１つ以上のバッテリ装置、温度制御された水、超音波装置、振動装置などを含んでいてもよい。
【００４８】
更に別の実施形態では、超音波カテーテルアセンブリの製造方法が、近位端２２から遠位端２４まで延びる側壁１８を有するカテーテル１４を形成するステップを含み得る。上述したように、側壁１８は、近位端２２から遠位端２４まで延びるルーメン２６を形成する内側面２０を画定し、ルーメン２６は、治療用の液体を送達するように構成される。また、図１０、図１１、および図１５に示すように、前記方法は、カテーテル１４の遠位端２４に１つ以上のエコー源性要素３０を配置するステップと、遠位端２４の部分３３が１つ以上のエコー源性要素３０の上で溶融し硬化するまでカテーテル１４の遠位端２４を加熱処理するステップも含み得る。従って、１つ以上のエコー源性要素３０の上で溶融した遠位端２４の部分３３が、エコー源性要素３０を患者から遮蔽する。
【００４９】
本発明の方法の特定の実施形態では、カテーテル１４は、近位端２２から遠位端２４まで延びる側壁１８を有し得る。側壁１８は、遠位端２４を加熱処理することによって密封された（図示せず）、閉じた近位端２２から遠位端２４まで延びるルーメン２６を形成する内側面２０を画定する。そのような構成の例は、例えば、米国特許第７４６５２９１号明細書（特許文献２）、米国特許第７４３８７１１号明細書（特許文献３）、米国特許第７５２７６０９号明細書（特許文献４）、米国特許第７５６９０４５号明細書（特許文献５）、および米国特許第８３２８７７１号明細書（特許文献６）に記載されており、これらの特許文献の内容は参照により本明細書に組み込まれる。
【００５０】
エコー源性要素３０を患者の組織から遮蔽することに加えて、エコー源性要素３０の上のカテーテル１４の遠位端２４の部分３３を溶融させるプロセスの別の重要な態様とは、エコー源性要素３０（複数可）の外側面が、上述のように超音波撮像を向上させるように構成された複数の不連続部４０を含む場合である。より具体的には、特定の実施形態では、このような不連続部４０が存在するとき、カテーテルの遠位端２４の部分３３を溶融させるプロセスは、不連続部４０に充填された溶融材料によって充填された不連続部４０内の空気ポケット、間隙または空隙が存在するのを排除または回避するように生じさせることが重要である。そのような空気ポケット、間隙または空隙の存在は望ましくなく、不連続部４０で超音波要素から反射される超音波エネルギーを著しく減衰させるか、または低減させる。
【００５１】
本発明を特定の好ましい実施形態に関連して説明してきたが、本発明に包含される発明主題はそれらの特定の実施形態に限定されるものではないことを理解されたい。本発明の主題は、以下の特許請求の範囲の精神および範囲内に含まれ得るあらゆる代替的実施形態、改変形態および均等物等を含む。
【図１】
2018524117.tif 000003
【図２】
2018524117.tif 000004
【図３】
2018524117.tif 000005
【図４】
2018524117.tif 000006
【図５】
2018524117.tif 000007
【図６】
2018524117.tif 000008
【図７】
2018524117.tif 000009
【図８】
2018524117.tif 000010
【図９】
2018524117.tif 000011
【図１０】
2018524117.tif 000012
【図１１】
2018524117.tif 000013
【図１２】
2018524117.tif 000014
【図１３】
2018524117.tif 000015
【図１４】
2018524117.tif 000016
【図１５】
2018524117.tif 000017
【図１６】
2018524117.tif 000018
【図１７】
2018524117.tif 000019
【図１８】
2018524117.tif 000020
【図１９】
2018524117.tif 000021
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
超音波カテーテルアセンブリであって、
近位端および遠位端を有し、前記近位端から前記遠位端まで延びるルーメンを画定する側壁を有するカテーテルであって、前記ルーメンは、前記近位端から前記遠位端へ治療用の流体を送達するように構成される、カテーテルと、
前記カテーテルの前記ルーメンを画定する前記側壁と共に構成された１つ以上の圧電要素であって、前記１つ以上の圧電要素は、前記カテーテルの超音波撮像を向上させる、該１つ以上の圧電要素とを備えることを特徴とするカテーテルアセンブリ。
【請求項２】
請求項１に記載のカテーテルアセンブリであって、
前記１つ以上の圧電要素は、前記カテーテルの前記側壁内に埋め込まれることを特徴とするカテーテルアセンブリ。
【請求項３】
請求項２に記載のカテーテルアセンブリであって、
前記１つ以上の圧電要素は、前記カテーテルの前記遠位端に埋め込まれることを特徴とするカテーテルアセンブリ。
【請求項４】
請求項２に記載のカテーテルアセンブリであって、
前記１つ以上の圧電要素は、前記１つ以上の圧電部品が患者の体内に挿入されたときに患者から遮蔽されるように、前記カテーテルの前記側壁内に埋め込まれることを特徴とするカテーテルアセンブリ。
【請求項５】
請求項１に記載のカテーテルアセンブリであって、
前記１つ以上の圧電要素は、カテーテル先端部材、カテーテルプラグ、複数の圧電素子、またはカテーテルバンドのうちの少なくとも１つを含むことを特徴とするカテーテルアセンブリ。
【請求項６】
請求項１に記載のカテーテルアセンブリであって、
前記１つ以上の圧電要素は、グラフェンまたは１つ以上のセラミック結晶の少なくとも１つを含むことを特徴とするカテーテルアセンブリ。
【請求項７】
請求項６に記載のカテーテルアセンブリであって、
前記グラフェンは、グラフェンコーティングまたはグラフェンストリップの少なくとも１つを含むことを特徴とするカテーテルアセンブリ。
【請求項８】
請求項６に記載のカテーテルアセンブリであって、
前記セラミック結晶は、球状、円柱、円錐、角錐、角柱、立方体、直方体、または不規則な形状、またはリング形状のいずれか１つまたはそれらの組合せを含むことを特徴とするカテーテルアセンブリ。
【請求項９】
請求項１に記載のカテーテルアセンブリであって、
前記カテーテルが患者に挿入されたときに前記１つ以上の圧電要素を作動させるように構成された刺激器アセンブリを更に備えることを特徴とするカテーテルアセンブリ。
【請求項１０】
超音波カテーテルアセンブリの製造方法であって、
近位端および遠位端を有し、前記近位端から前記遠位端まで延びるルーメンを形成する内側面を画定する側壁を有するカテーテルを提供するステップであって、前記ルーメンは、前記近位端から前記遠位端へ治療用の流体を送達するように構成される、該ステップと、
１つ以上のエコー源性要素を前記カテーテルの前記遠位端上に配置するステップと、
前記遠位端の部分が溶融して前記１つ以上のエコー源性要素の上で硬化するまで前記カテーテルの前記遠位端に加熱処理を行うステップであって、前記１つ以上のエコー源性要素の上で溶融した前記遠位端の部分が、前記１つ以上のエコー源性要素を患者から遮蔽する、該ステップとを有することを特徴とする方法。
【請求項１１】
請求項１０に記載の方法であって、
前記１つ以上のエコー源性要素は、前記カテーテルの超音波撮像を向上させるように構成された複数の不連続部を含むことを特徴とする方法。
【請求項１２】
請求項１１に記載の方法であって、
前記不連続部は、エッチング、くぼみ、溝、ノッチ、凹部、ねじ山、または突起の少なくとも１つ以上を含むことを特徴とする方法。
【請求項１３】
請求項１０に記載の方法であって、
前記１つ以上のエコー源性要素は、カテーテル先端部材またはカテーテルバンドのうちの少なくとも１つを含むことを特徴とする方法。
【請求項１４】
超音波カテーテルアセンブリの製造方法であって、
近位端および遠位端を有し、前記近位端から前記遠位端まで延びるルーメンを形成する内側面を画定する側壁を有するカテーテルを提供するステップであって、前記ルーメンは、前記近位端から前記遠位端へ治療用の流体を送達するように構成される、該ステップと、
１つ以上の圧電要素を前記カテーテルの前記遠位端に固定するステップであって、前記１つ以上の圧電要素が前記カテーテルの超音波撮像を向上させる、該ステップとを含むことを特徴とする方法。
【請求項１５】
請求項１４に記載の方法であって、
前記１つ以上の圧電要素は、前記カテーテルの内側面の少なくとも一部と接触することを特徴とする方法。
【請求項１６】
請求項１５に記載の方法であって、
前記固定するステップは、前記１つ以上の圧電要素が前記カテーテルの前記側壁の前記内側面に接触するように、前記１つ以上の圧電要素を前記カテーテルの前記遠位端内に挿入するステップを更に含むことを特徴とする方法。
【請求項１７】
請求項１４に記載の方法であって、
前記固定するステップは、前記遠位端で前記カテーテルの前記側壁に１つ以上の圧電要素を埋め込むステップを更に含み、
前記１つ以上の圧電要素は、カテーテル先端部材、カテーテルプラグ、複数の圧電素子、またはカテーテルバンドのうちの少なくとも１つを含むことを特徴とする方法。
【請求項１８】
請求項１７に記載の方法であって、
前記埋め込むステップが、
１つ以上のエコー源性要素を前記カテーテルの前記遠位端上に配置するステップと、
前記遠位端の部分が溶融して前記１つ以上のエコー源性要素の上で硬化するまで前記カテーテルの前記遠位端に加熱処理を行うステップであって、前記１つ以上のエコー源性要素の上で溶融した前記遠位端の部分が、前記１つ以上のエコー源性要素を患者から遮蔽する、該ステップとを更に含むことを特徴とする方法。
【請求項１９】
請求項１４に記載の方法であって、
前記固定するステップは、グラフェンコーティングまたは１つ以上のグラフェンストリップの少なくとも１つを前記カテーテルの前記側壁の前記内側面に適用するステップを更に含むことを特徴とする方法。
【請求項２０】
請求項１４に記載の方法であって、
前記カテーテルが患者に挿入されたときに、刺激装置アセンブリを介して前記１つ以上の圧電要素を作動させるステップを更に含むことを特徴とする方法。
【国際調査報告】
2018524117.tif 000022
2018524117.tif 000023
2018524117.tif 000024
2018524117.tif 000025
2018524117.tif 000026